(57)【要約】【課題】美観を損なうことなく、接着材の接着強度の向上を図った鉛蓄電池を提供すること。【解決手段】難接着性のポリプロピレン樹脂等で形成された蓋体１を備え、この蓋体１に設けた外リブ１１内に鉛ブッシング５で極柱７を保持した端子部９を貫通し、この端子部９と外リブ１１との間を接着剤１３で充填・硬化させた鉛蓄電池において、接着剤１３の充填・硬化による端子封口前に実施する火炎処理部である外リブ１１の内周面１１Ａと、鉛ブッシング５の上端部５Ｂに設けた突出部１５との間の距離Ｗ１を、３．０ｍｍ〜５．０ｍｍに設定した。【選択図】図２
2010177089.tif 000002
【特許請求の範囲】
【請求項１】
難接着性のポリプロピレン樹脂等で形成された蓋体を備え、この蓋体に設けた外リブ内に鉛ブッシングで極柱を保持した端子部を貫通し、この端子部と前記外リブとの間を接着剤で充填・硬化させた鉛蓄電池において、
前記接着剤の充填・硬化による端子封口前に実施する火炎処理またはコロナ放電処理部である前記外リブの内周面と、前記鉛ブッシングの溶接部に設けた突出部との間の距離Ｗ１を、３．０ｍｍ〜５．０ｍｍに設定したことを特徴とする鉛蓄電池。
【請求項２】
難接着性のポリプロピレン樹脂等で形成された蓋体を備え、この蓋体に同心状に設けた外リブおよび内リブ内に鉛ブッシングで極柱を保持した端子部を貫通し、この端子部と前記外リブおよび内リブとの間を接着剤で充填・硬化させた鉛蓄電池において、
前記接着剤の充填・硬化による端子封口前に実施する火炎処理またはコロナ放電処理部である前記内リブの外周面と前記外リブの内周面と間の距離Ｗ３、および前記内リブの内周面と前記鉛ブッシングの溶接部に設けた突出部との間の距離Ｗ２を、それぞれ３．０ｍｍ〜５．０ｍｍに設定したことを特徴とする鉛蓄電池。
【発明の詳細な説明】
【技術分野】
【０００１】
本発明は、蓋体に設けた端子部とリブとの間を接着剤で充填・硬化させた鉛蓄電池に関する。
【背景技術】
【０００２】
一般に、蓋体に設けたリブ内に鉛ブッシングで極柱を保持した端子部を貫通し、この端子部とリブとの間を接着剤で充填・硬化させ、該端子部を封口する鉛蓄電池が知られている。この種の鉛蓄電池では、蓋体がポリプロピレンなどの難接着性樹脂（非極性樹脂）からなる場合、蓋体の設けられるリブの内周面と接着剤との濡れ性（親水性）が乏しいため、このリブの内周面に火炎処理やコロナ放電処理などを施して極性官能基（ＯＨ基など）を導入し、エポキシ樹脂などの接着剤との濡れ性を改善することが行われている（例えば、特許文献１参照）。
【０００３】
【特許文献１】特開平９−９２３２５号公報
【発明の開示】
【発明が解決しようとする課題】
【０００４】
ところで、蓋体のリブと端子部との間に接着剤を充填・硬化させる構成では、接着剤の接着強度を高めて端子部の気密性の向上を図ることが望ましい。このため、極柱と溶接される鉛ブッシングの溶接部に、上記リブに向けて突出させた突出部を設け、端子部と接着剤との接着距離を大きく確保する構成が考えられる。
しかしながら、この構成では、鉛ブッシングの溶接部に設けられた突出部とリブの内周面との距離が近くなるため、このリブの内周面に火炎処理などを施す際に、火炎などがリブの内周面に均一に当たらず、処理にムラができ、接着強度のばらつきの原因となるといった問題がある。
一方、リブを突出部から大きく離した位置に設ければ、上記問題を解決することができるが、この場合には、突出部とリブの内周面との距離が遠く離れるため、このリブと端子部との間に充填される接着剤の表面にひけ（接着剤表面の凹み）が生じてしまい、美観を損なうといった問題がある。
このため、本発明は、美観を損なうことなく、接着材の接着強度の向上を図った鉛蓄電池を提供することを目的とする。
【課題を解決するための手段】
【０００５】
本発明は、難接着性のポリプロピレン樹脂等で形成された蓋体を備え、この蓋体に設けた外リブ内に鉛ブッシングで極柱を保持した端子部を貫通し、この端子部と前記外リブとの間を接着剤で充填・硬化させた鉛蓄電池において、前記接着剤の充填・硬化による端子封口前に実施する火炎処理またはコロナ放電処理部である前記外リブの内周面と、前記鉛ブッシングの溶接部に設けた突出部との間の距離Ｗ１を、３．０ｍｍ〜５．０ｍｍに設定したことを特徴とする。
【０００６】
この構成によれば、鉛ブッシングの溶接部に突出部を設けたことにより、端子部と接着剤との接着距離を大きく確保することができ、接着剤の接着強度の向上を図ることができる。また、接着剤の充填・硬化による端子封口前に実施する火炎処理またはコロナ放電処理部である外リブの内周面と、鉛ブッシングの溶接部に設けた突出部との間の距離Ｗ１を、３．０ｍｍ〜５．０ｍｍに設定したため、外リブの内周面への火炎処理などを均一に施すことができ、接着剤の接着強度の向上を図ることができるとともに、接着剤の表面へのひけの発生を防止でき、鉛蓄電池の美観を損なうことを防止できる。
【０００７】
また、本発明は、難接着性のポリプロピレン樹脂等で形成された蓋体を備え、この蓋体に同心状に設けた外リブおよび内リブ内に鉛ブッシングで極柱を保持した端子部を貫通し、この端子部と前記外リブおよび内リブとの間を接着剤で充填・硬化させた鉛蓄電池において、前記接着剤の充填・硬化による端子封口前に実施する火炎処理またはコロナ放電処理部である前記内リブの外周面と前記外リブの内周面と間の距離Ｗ３、および前記内リブの内周面と前記鉛ブッシングの溶接部に設けた突出部との間の距離Ｗ２を、それぞれ３．０ｍｍ〜５．０ｍｍに設定したことを特徴とする。
【０００８】
この構成によれば、鉛ブッシングの溶接部に突出部を設けたことにより、端子部と接着剤との接着距離を大きく確保することができ、接着剤の接着強度の向上を図ることができる。また、接着剤の充填・硬化による端子封口前に実施する火炎処理またはコロナ放電処理部である内リブの外周面と外リブの内周面と間の距離Ｗ３、および内リブの内周面と鉛ブッシングの溶接部に設けた突出部との間の距離Ｗ２を、それぞれ３．０ｍｍ〜５．０ｍｍに設定したため、内リブの外周面、外リブの内周面及び内リブの内周面への火炎処理などを均一に施すことができ、接着剤の接着強度の向上を図ることができるとともに、接着剤の表面へのひけの発生を防止でき、鉛蓄電池の美観を損なうことを防止できる。
【発明の効果】
【０００９】
本発明によれば、鉛ブッシングの溶接部に突出部を設けたことにより、端子部と接着剤との接着距離を大きく確保することができ、接着剤の接着強度の向上を図ることができる。また、接着剤の充填・硬化による端子封口前に実施する火炎処理またはコロナ放電処理部である外リブの内周面と、鉛ブッシングの溶接部に設けた突出部との間の距離Ｗ１を、３．０ｍｍ〜５．０ｍｍに設定したため、外リブの内周面への火炎処理などを均一に施すことができ、接着剤の接着強度の向上を図ることができるとともに、接着剤の表面へのひけの発生を防止でき、鉛蓄電池の美観を損なうことを防止できる。
【発明を実施するための最良の形態】
【００１０】
以下、図面を参照して本発明の一実施の形態を説明する。
図１は、本実施形態に係る鉛蓄電池の端子部における蓋体の縦断面図であり、図２は、端子部の構成を示す図１の部分拡大図である。本実施形態にかかる鉛蓄電池は、定格容量が２００〜５００Ａｈである大容量の据置型鉛蓄電池であり、複数の正極板と負極板とをセパレータを介して交互に積層して形成した極板群（不図示）を電槽（不図示）内に収納し、この電槽の開口に、難接着性のポリプロピレン樹脂で形成された蓋体１を配置して構成されている。
鉛蓄電池の蓋体１の材料として、ポリプロピレン樹脂の他に、難接着性のポリフェニレンエーテル系樹脂を用いることも可能である。しかしながら、ポリフェニレンエーテル系樹脂は、ポリプロピレン樹脂に比べると高価であり、コストの観点から好ましくない。また、ポリプロピレン樹脂は、鉛蓄電池の寿命に影響する水分の透過性や耐薬品性において、ポリフェニレンエーテル系樹脂よりも優れているため、鉛蓄電池の蓋体１は、ポリプロピレン樹脂で形成することが好ましい。
【００１１】
蓋体１には、図１に示すように、開口部２が形成され、この開口部２の周囲には、蓋体１の裏面１Ａから突出して一体成形により設けられた筒状壁３を備える。この筒状壁３の内面には、鉛もしくは鉛合金で形成された鉛ブッシング５がインサート成形により鋳込まれている。鉛ブッシング５は、開口部２を通じて蓋体１の表面（上面）１Ｂ側に延在し、その略中央には極柱挿通口５Ａを備える。この極柱挿通口５Ａには上記極板群に接続される極柱７が貫通し、この貫通した極柱７の外周面と鉛ブッシング５の上端部（溶接部）５Ｂとが溶接により接合されて端子部９が形成される。これにより、端子部９は、鉛ブッシング５で極柱７を保持した状態で蓋体１を貫通するように設けられている。なお、極柱７の上方には、外部負荷に接続するための端子（不図示）を埋め込み、その中央にねじ部（不図示）を設けても良い。
また、蓋体１の表面１Ｂには、開口部２の周囲に、端子部９を囲む環状の外リブ１１が一体成形により設けられている。この外リブ１１は、鉛ブッシング５の上端部５Ｂよりも高く、極柱７の上端部７Ａよりも低く形成され、この極柱７（端子部９）と外リブ１１との間には、熱硬化性合成樹脂製の接着剤１３（例えばポリエステル系、エポキシ系、ウレタン系）が外リブ１１の高さと略同じ高さまで充填される。そして、この接着剤１３が硬化することにより、端子部９と外リブ１１との間が封口される。
【００１２】
また、鉛ブッシング５の上端部５Ｂには、図２に示すように、外リブ１１に向けて突出する突出部１５が形成されている。突出部１５は、端子部９と接着剤１３との接着距離（接着面積）を大きく確保し、接着剤１３が突出部１５下面に回りこみ、鉤状となり上部方向に対する応力（強度）が強くなる。この突出部１５を設けることにより、端子部９との接着強度の向上を図ることが可能となる。
また、突出部１５は、この突出部１５の下面に、外リブ１１に向けて上方に傾斜して形成される斜面部１５Ａを備えている。この斜面部１５Ａは、接着剤１３中に含まれる気泡の上方への流動を促し、当該気泡が突出部１５の下方空間Ａに溜まることを防止する機能を有するものである。ここで、斜面部１５Ａの傾斜角度θを大きく形成すれば、気泡の排出が促進される反面、突出部１５の接着距離が短縮される。このため、気泡の排出と接着強度の向上との観点に基づき、斜面部１５Ａの傾斜角度θは、２０°≦θ≦６０°に設定することが望ましく、本実施形態では３０°に設定されている。
【００１３】
ところで、上述のように、蓋体１は、難接着性のポリプロピレン樹脂で形成されているため、この蓋体１に一体成形により設けられている外リブ１１の内周面（火炎処理部、コロナ放電処理部）１１Ａに火炎処理やコロナ放電処理などを施して極性官能基（ＯＨ基など）を導入し、接着剤１３との濡れ性を改善する必要がある。
本実施形態では、鉛ブッシング５の上端部５Ｂに、外リブ１１に向けて突出する突出部１５が形成されているため、火炎処理やコロナ放電処理などを容易に行えるように、突出部１５と外リブ１１との距離Ｗ１を最適値に調整することが重要となる。次に、突出部１５と外リブ１１との距離Ｗ１について説明する。
【実施例１】
【００１４】
鉛ブッシング５の上端部５Ｂに外リブ１１に向けて突出する突出部１５を形成し、この突出部１５と外リブ１１との距離Ｗ１が３．０ｍｍとなる位置に外リブ１１を設けた鉛蓄電池を作成する。
次に、外リブ１１の内周面１１Ａにバーナ（図示せず）から噴射する火炎を照射して火炎処理を施した。次に、火炎処理後、端子部９と外リブ１１との間に接着剤１３（エポキシ樹脂系接着剤）を充填・硬化させた。
【実施例２】
【００１５】
突出部１５と外リブ１１との距離Ｗ１が４．０ｍｍとなる位置に外リブ１１を設け、この他の構成は実施例１と同様に鉛蓄電池を作成し、外リブ１１の内周面１１Ａへの火炎処理、端子部９と外リブ１１との間に接着剤１３を充填・硬化させた。
【実施例３】
【００１６】
突出部１５と外リブ１１との距離Ｗ１が５．０ｍｍとなる位置に外リブ１１を設け、この他の構成は実施例１と同様に鉛蓄電池を作成し、外リブ１１の内周面１１Ａへの火炎処理、端子部９と外リブ１１との間に接着剤１３を充填・硬化させた。
【比較例１】
【００１７】
突出部１５と外リブ１１との距離Ｗ１が２．０ｍｍとなる位置に外リブ１１を設け、この他の構成は実施例１と同様に鉛蓄電池を作成し、外リブ１１の内周面１１Ａへの火炎処理、端子部９と外リブ１１との間に接着剤１３を充填・硬化させた。
【比較例２】
【００１８】
突出部１５と外リブ１１との距離Ｗ１が６．０ｍｍとなる位置に外リブ１１を設け、この他の構成は実施例１と同様に鉛蓄電池を作成し、外リブ１１の内周面１１Ａへの火炎処理、端子部９と外リブ１１との間に接着剤１３を充填・硬化させた。
【比較例３】
【００１９】
実施例３に記載のものにおいて、鉛ブッシング５の上端部５Ｂから突出部１５を削除した鉛蓄電池を作成し、外リブ１１の内周面１１Ａへの火炎処理、端子部９と外リブ１１との間に接着剤１３を充填・硬化させた。
【００２０】
そして、各鉛蓄電池（実施例１〜３、比較例１〜３）について、接着剤１３の表面１３Ａにひけ（接着剤表面への凹部）が発生の有無を目視により確認し、その後、各鉛蓄電池について接着強度を調べた。
接着強度は、端子部９と接着剤１３との界面および外リブ１１と接着剤１３との界面が含まれるように、端子部９から円周方向に１６箇所切り出し、この切り出した試験片を用いて、１０ｍｍ／ｍｉｎの速度で引張試験を行い、その最大強度（ｋｇｆ）を測定した。
【００２１】
表１には、上記実施例１〜３及び比較例１〜３における引張最大強度（端子部９−接着剤１３間、外リブ１１−接着剤１３間）の平均値（ｋｇｆ）及び接着剤表面へのひけの発生の有無を併記した。ここで、ひけの発生の有無は、ひけの発生がまったく認められないものを○、ひけの発生が少しでも認められたものを×とした。
【００２２】
【表１】
2010177089.tif 000003
【００２３】
表１から明らかなように、突出部１５と外リブ１１との距離Ｗ１を３．０ｍｍ〜５．０ｍｍとした実施例１〜３では、接着剤１３の表面１３Ａにひけの発生が無く、かつ、引張最大強度が高く形成されていることが分かる。
比較例３と対比すると、実施例１〜３では、鉛ブッシング５の上端部５Ｂに外リブ１１に向けて突出する突出部１５を形成しているため、端子部９と接着剤１３との接着距離（接着面積）を大きく確保することができ、端子部９−接着剤１３間の接着強度の向上を図ることができた。
また、突出部１５と外リブ１１との距離Ｗ１が３．０ｍｍ未満（２．０ｍｍ）である比較例１では、突出部１５と外リブ１１との間が狭く、この外リブ１１の内周面１１Ａに火炎処理を施す際に、火炎が内周面１１Ａに均一に当たらず、処理にムラができたため、外リブ１１−接着剤１３間の接着強度が低下したものと考えられる。
近年、通信機器やＵＰＳ（無停電電源装置）等では、鉛蓄電池の使用期間が１０年以上となる用途が増えている。鉛蓄電池は一般的に温度が１０℃上昇すると寿命が半減するため、電池の設置状態や空調管理によっては高い温度環境下で使用され、期待寿命が短くなることがある。期待寿命が短くなった場合でも、期待寿命以上に使用されるケースは稀にあると考えられ、そのような時には比較例１及び比較例３の引張最大強度では、接着強度が不十分である。
【００２４】
これに対して、突出部１５と外リブ１１との距離Ｗ１を３．０ｍｍ〜５．０ｍｍとした実施例１〜３では、当該距離Ｗ１が外リブ１１の内周面に火炎処理を施すのに十分な距離に設定されているため、バーナから噴射する火炎が外リブ１１の内周面１１Ａに均一に照射された結果、極性官能基（ＯＨ基など）を導入し、エポキシ樹脂などの接着剤１３との濡れ性を改善されたものと考えられる。これにより、外リブ１１−接着剤１３間の接着強度の向上を図ることができた。
また、突出部１５と外リブ１１との距離Ｗ１が５．０ｍｍより大きい（６．０ｍｍ）場合である比較例２では、引張最大強度の平均値（ｋｇｆ）は実施例１〜３と同等の結果を示しているが、接着剤１３の表面１３Ａに若干のひけの発生が確認されており、端子部９周辺の外観が良好でなかった。また、突出部１５と外リブ１１との距離Ｗ１が増加すると、接着剤１３の充填量（使用量）が増加するため、コストの観点からも好ましくはない。
また、突出部１５を形成しない比較例３では、接着剤１３の充填量（使用量）が増加したため、外リブ１１を実施例３と同様の位置に設けているにも拘らず、若干のひけが生じた。また、比較例３においては、鉛ブッシング５の上端部５Ｂに突出部１５を形成していないため、端子部９‐接着剤１３間の接着強度が実施例１〜３に比べて著しく低下していることがわかる。
更に、エポキシ樹脂等の接着剤１３は、充填量（使用量）が増加すると、早期に発熱し反応が進むため可使時間が短く、この可使時間内に端子部９と外リブ１１との間に接着剤を充填する必要があるため、突出部１５と外リブ１１との距離Ｗ１は狭い（５．０ｍｍ以下）方が好ましい。
【００２５】
本実施形態によれば、難接着性のポリプロピレン樹脂等で形成された蓋体１を備え、この蓋体１に設けた外リブ１１内に鉛ブッシング５で極柱７を保持した端子部９を貫通し、この端子部９と外リブ１１との間を接着剤１３で充填・硬化させた鉛蓄電池において、鉛ブッシング５の上端部５Ｂに突出部１５を設けたことにより、端子部９と接着剤１３との接着距離を大きく確保することができ、接着剤の接着強度の向上を図ることができる。また、接着剤１３の充填・硬化による端子封口前に実施する火炎処理部である外リブ１１の内周面１１Ａと、鉛ブッシング５の上端部５Ｂに設けた突出部１５との間の距離Ｗ１を、３．０ｍｍ〜５．０ｍｍに設定したため、外リブ１１の内周面１１Ａへの火炎処理を均一に施すことができ、接着剤１３の接着強度の向上を図ることができるとともに、接着剤１３の表面１３Ａへのひけの発生を防止でき、鉛蓄電池の美観を損なうことを防止できる。
【００２６】
以上、実施形態に基づいて本発明を説明したが、本発明はこれに限定されるものではない。本実施形態では、外リブ１１の内周面１１Ａの表面処理として火炎処理を行う構成について説明したが、コロナ放電処理を行う構成としても良いことは勿論である。このコロナ放電処理では、外リブ１１の内周面１１Ａに近傍に電極を配置し、この電極から放電することにより、内周面１１Ａにカルボニル基等の極性基が導入され、エポキシ樹脂などの接着剤１３との濡れ性を改善される。
【００２７】
次に、別の実施形態について説明する。
この別の実施形態では、図３に示すように、外リブ１１と突出部１５との間に内リブ１７が形成されている点で、上記実施形態と構成を異にするが、それ以外の構成は同一であるため、同一の構成については、同一の符号を付して説明を省略する。
この内リブ１７を備える鉛蓄電池は、定格容量がより大きな５００〜１０００Ａｈである大容量の据置型鉛蓄電池である。この鉛蓄電池の蓋体１には、端子部９の周囲に同心状に外リブ１１と内リブ１７とが設けられている。この内リブ１７は、大容量の鉛蓄電池において、端子部９と外リブ１１との間に充填される接着剤１３の接着距離を大きく確保して接着強度を向上させるものである。内リブ１７は、鉛ブッシング５の上端部５Ｂよりも高く、外リブ１１よりも低く形成され、接着剤１３は外リブ１１の高さと略同じ高さまで充填される。
【００２８】
本実施形態では、鉛ブッシング５の上端部５Ｂに設けられた突出部１５と内リブ１７の内周面１７Ａとの距離Ｗ２及び内リブ１７の外周面１７Ｂと外リブ１１の内周面１１Ａとの距離Ｗ３をそれぞれ３．０ｍｍ〜５．０ｍｍに設定している。この構成によれば、内リブ１７の内周面１７Ａ、内リブの外周面１７Ｂ及び外リブ１１の内周面１１Ａへの火炎処理やコロナ放電処理を均一に施すことができ、接着剤１３の接着強度の向上を図ることができるとともに、接着剤１３の表面１３Ａへのひけの発生を防止でき、鉛蓄電池の美観を損なうことを防止できる。
【図面の簡単な説明】
【００２９】
【図１】本実施形態に係る鉛蓄電池の端子部における蓋体の縦断面図である。
【図２】図１の部分拡大図である。
【図３】別の実施形態にかかる鉛蓄電池の端子部における蓋体の縦断面図である。
【符号の説明】
【００３０】
１      蓋体
１Ａ    裏面
１Ｂ    表面
２      開口部
３      筒状壁
５      鉛ブッシング
５Ａ    極柱挿通口
５Ｂ    上端部（溶接部）
７      極柱
９      端子部
１１    外リブ
１１Ａ  内周面
１３    接着剤
１３Ａ  表面
１５    突出部
１５Ａ  斜面部
１７    内リブ
１７Ａ  内周面
１７Ｂ  外周面
Ａ      下方空間
Ｗ１    距離
Ｗ２    距離
Ｗ３    距離
θ      傾斜角
【図１】
2010177089.tif 000004
【図２】
2010177089.tif 000005
【図３】
2010177089.tif 000006